(57)【要約】着信履歴が保存される通信機器において、着信履歴を削除できる機能を有する通信機器を提供する。着信履歴の制御を設定する設定情報を、操作部６と表示部８とを介して、利用者に入力することを促し、着信履歴制御設定部／着信地歴制御部１１は、入力された設定情報に基づいて、着信履歴を削除するか残すかを判定し、着信履歴を発信／着信履歴用メモリ５へ格納し、さらに、利用者によって参照された着信履歴のうち、利用者が発番号を参照しなかった着信履歴については、自動的に削除する。
2003081881.tif 000002
【特許請求の範囲】
【請求項１】
受信した呼の着信履歴を着信履歴メモリへ保存する機能を有する通信装置において、
着信履歴に関する制御を設定する設定情報を記録する設定情報メモリと、
上記設定情報メモリに記録された設定情報に基づいて、着信履歴メモリへ保存された着信履歴を制御する着信履歴制御部と
を備えることを特徴とする通信装置。
【請求項２】
上記設定情報は、着信履歴を削除するか残すかを示す削除設定と、着信履歴として発信元を特定する発番号を上記着信履歴メモリに保存するか否かを示す発番号設定とを含み、
上記着信履歴制御部は、上記削除設定に着信履歴を削除すると設定されている場合、着信履歴を削除し、上記削除設定に着信履歴を残すと設定されている場合、上記着信履歴から発番号を取得し、上記発番号設定に発番号を残すと設定されている場合は、上記発番号と着信時刻とを上記着信履歴メモリに保存し、上記発番号設定に発番号を上記着信履歴メモリに保存しないと設定されている場合及び発番号が取得できない場合は、着信時刻を上記着信履歴メモリに保存することを特徴とする請求項１記載の通信装置。
【請求項３】
上記通信装置は、さらに、通信相手を特定する電話番号を登録する電話帳メモリを備え、
上記着信履歴制御部は、上記発番号が上記電話帳メモリに登録されているかを判定し、上記発番号が上記電話帳メモリに登録されている場合には、上記発番号と着信時刻とを上記着信履歴メモリに保存することを特徴とする請求項２記載の通信装置。
【請求項４】
上記通信装置は、さらに、通信相手を特定する電話番号を登録する電話帳メモリを備え、
上記着信履歴制御部は、上記発番号が上記電話帳メモリに登録されているかを判定し、上記発番号が上記電話帳メモリに登録されている場合には、上記発番号と着信時刻とを上記着信履歴メモリに保存し、上記発番号が上記電話帳メモリに登録されていない場合で、かつ、着信してから所定の時間経過後も呼び出し状態が継続している場合、発番号と着信時刻とを上記着信履歴メモリへ保存することを特徴とする請求項２記載の通信装置。
【請求項５】
上記通信装置は、さらに、通信相手を特定する電話番号を登録する電話帳メモリを備え、
上記着信履歴制御部は、上記発番号が上記電話帳メモリに登録されているかを判定し、上記発番号が上記電話帳メモリに登録されている場合で、かつ、着信してから所定の時間経過後も呼び出し状態が継続している場合、上記発番号と着信時刻とを上記着信履歴メモリへ保存することを特徴とする請求項３記載の通信装置。
【請求項６】
上記通信装置は、さらに、
通信相手を特定する電話番号を登録する電話帳メモリと、
上記着信履歴メモリに保存した着信履歴を取得し、取得した着信履歴を表示し、取得した着信履歴に含まれる発番号が上記電話帳メモリに登録されている場合は、上記発番号を表示し、上記発信番号が上記電話帳メモリに登録されていない場合は、上記発番号を表示しない表示部と
を備えることを特徴とする請求項２記載の通信装置。
【請求項７】
上記表示部は、表示した着信履歴のうち、上記発番号を表示しない着信履歴に関して、上記発番号を参照する指示を受け付け、受け付けた指示に基づいて、上記発番号を含めた着信履歴を表示し、
上記着信履歴制御部は、上記表示部が上記発番号を表示しない着信履歴であって、上記発番号を参照する指示を受け付けなかった着信履歴を抽出し、抽出した着信履歴を上記着信履歴メモリから削除することを特徴とする請求項６記載の通信装置。
【請求項８】
上記着信履歴制御部は、さらに、上記着信履歴メモリに保存した着信履歴を取得し、取得した着信履歴を表示する表示部を備え、
上記着信履歴制御部は、上記表示部が表示した着信履歴を調査し、上記設定情報に基づいて、調査した着信履歴を上記着信履歴メモリから削除することを特徴とする請求項２記載の通信装置。
【請求項９】
受信した呼の着信履歴を着信履歴メモリへ保存する機能を有する通信装置が、保存した着信履歴を上記着信履歴メモリから削除する着信履歴削除方法について、
着信履歴に関する制御を設定する設定情報を設定情報メモリへ記録し、
上記設定情報メモリに記録された設定情報に基づいて、着信履歴を保存するか否かを判断し、
判断した結果に基づいて、上記着信履歴を上記着信履歴メモリから削除することを特徴とする着信履歴削除方法。
【請求項１０】
上記設定情報を設定情報メモリへ記録する工程は、少なくとも、着信履歴を削除するか残すかを示す削除設定と、着信履歴として発信元を特定する発番号を上記着信履歴メモリに保存するか否かを示す発番号設定とを、設定情報として記録し、
上記着信履歴を上記着信履歴メモリへ保存する工程は、上記削除設定に着信履歴を削除すると設定されている場合、着信履歴を削除し、上記削除設定に着信履歴を残すと設定されている場合、上記呼から発番号を取得し、上記発番号設定に発番号を残すと設定されている場合は、発番号と着信時刻とを上記着信履歴メモリに保存し、上記発番号設定に発番号を上記着信履歴メモリに保存しないと設定されている場合及び発番号が取得できない場合は、着信時刻を上記着信履歴メモリに保存することを特徴とする請求項９記載の着信履歴削除方法。
【請求項１１】
受信した呼の電話番号を含む着信履歴を保存する着信履歴メモリ、
上記着信履歴メモリに保存された着信履歴を表示する表示部、
上記受信した呼の呼び出し時間が所定の設定時間未満の場合、上記受信した呼の電話番号を着信履歴として上記表示部に表示するか否かを制御設定する設定情報メモリ、
及び上記設定情報メモリに保存された制御設定に基づいて、上記表示部の表示制御をする着信履歴制御部を備えたことを特徴とする通信装置。
【請求項１２】
通信相手を特定する電話番号を登録する電話帳メモリを備え、
設定情報メモリは、受信した呼の電話番号が上記電話帳メモリに保存されているときには、着信履歴として表示部に表示するようにしたことを特徴とする請求項１１記載の通信装置。
【請求項１３】
表示部の表示機能を起動させる操作部を備え、
上記操作部の操作によって、受信した呼の着信履歴のうち表示部に電話番号を表示しない着信履歴が指定されたとき、上記電話番号を上記表示部に表示することを可能にしたことを特徴とする請求項１１記載の通信装置。
【請求項１４】
受信した呼の着信履歴を保存する着信履歴メモリ、
受信した呼の呼び出し時間が所定の設定時間未満の場合、受信した呼の電話番号を上記着信履歴メモリに保存するかしないかを制御設定する設定情報メモリ、
及び上記設定情報メモリに保存された制御設定に基づいて、上記受信した呼の着信履歴を上記着信履歴メモリに保存する着信履歴制御部を備えたことを特徴とする通信装置。
【発明の詳細な説明】
技術分野
この発明は、携帯電話機等の通信機器において、電話帳機能と着信履歴表示機能を有する通信機器に関する。特に、最近問題となっている「ワン切り」で着信履歴に発番号を残し、ユーザが着信履歴より、その発番号に発信すると、ダイヤルＱ２のような高額な通信料金を課金される番号につながれる、あるいは、用件があるのは発側なのに、通信料金を自分が払うのがいやで、相手から発呼させ相手に通話料金を払わせると言うような問題を解決するためのものである。
背景技術
図１０は、例えば、特開２０００−２９５３２４に示された携帯電話機に基づく、従来の携帯電話機の構成の一例である。
次に、動作について説明する。
図１０に示された携帯電話機は、リンギング回数計測部、あるいは、リンギング時間計測部を持つことにより、着信から切断までの長さを測定し、着信履歴に発番号とどれだけの間呼び出されたかを対応付けて表示することにより、発信者がどれだけ、通話したがっていたか（通話を望んでいたか）を携帯電話機のユーザに示すことを目的としていた。最近の携帯電話機は、着信履歴に表示された発番号に対して簡単に発信操作が行えてしまうため、着信履歴の横に、呼び出し期間を表示するだけでは、ユーザが誤って発信してしまう、あるいは、着信履歴が残っていると、なんだろうと思って、つい発信してしまうと言うことを十分に防ぐことができないと言う問題があった。
従来の特開２０００−２９５３２４に示された着信履歴の表示においては、発番号が通知されてきた着信に関しては、必ず発番号が表示されてしまい、携帯電話機のユーザは、着信履歴を表示した際に、簡単に着信履歴に残っている番号に対して発信操作ができてしまうので、誤って、発信してしまう。
あるいは、つい人間心理的に、着信履歴に番号が残っていると、仕事の関係だろうか、誰からか大事な用件だろうかと不安になり、何だろうと発信操作を行ってしまうと可能性が高い。
その結果、ダイヤルＱ２のような高額な通信料金を課金される番号につながれる、あるいは、用件があるのは発側なのに、通信料金を自分が払うのがいやで、相手から発呼させ相手に通話料金を払わせると言うようなことが起こりえてしまうという問題がある。
この発明は、ユーザが着信履歴のデータの残し方を選択しやすいようにする装置又は方法を提供することを目的とする。
特に、着信履歴のデータの残し方に関してユーザがどのような場合には、着信履歴に発番号まで残すか、あるいは、着信履歴さえ残さないと言うように、設定することにより、携帯電話機、及び、通信機器のユーザの基準で、着信履歴の残し方を設定できるようにするものである。
発明の開示
この発明に係る通信装置は、受信した呼の着信履歴を着信履歴メモリへ保存する機能を有する通信装置において、
着信履歴に関する制御を設定する設定情報を記録する設定情報メモリと、
上記設定情報メモリに記録された設定情報に基づいて、着信履歴メモリへ保存された着信履歴を制御する着信履歴制御部と
を備えることを特徴とする。
上記設定情報は、着信履歴を削除するか残すかを示す削除設定と、着信履歴として発信元を特定する発番号を上記着信履歴メモリに保存するか否かを示す発番号設定とを含み、
上記着信履歴制御部は、上記削除設定に着信履歴を削除すると設定されている場合、着信履歴を削除し、上記削除設定に着信履歴を残すと設定されている場合、上記着信履歴から発番号を取得し、上記発番号設定に発番号を残すと設定されている場合は、上記発番号と着信時刻とを上記着信履歴メモリに保存し、上記発番号設定に発番号を上記着信履歴メモリに保存しないと設定されている場合及び発番号が取得できない場合は、着信時刻を上記着信履歴メモリに保存することを特徴とする。
上記通信装置は、さらに、発信、及び着信時に、通信相手を特定する電話番号を登録する電話帳メモリを備え、
上記着信履歴制御部は、上記発番号が上記電話帳メモリに登録されているかを判定し、上記発番号が上記電話帳メモリに登録されている場合には、上記発番号と着信時刻とを上記着信履歴メモリに保存することを特徴とする。
上記通信装置は、さらに、発信、及び着信時に、通信相手を特定する電話番号を登録する電話帳メモリを備え、
上記着信履歴制御部は、上記発番号が上記電話帳メモリに登録されているかを判定し、上記発番号が上記電話帳メモリに登録されている場合には、上記発番号と着信時刻とを上記着信履歴メモリに保存し、上記発番号が上記電話帳メモリに登録されていない場合で、かつ、着信してから所定の時間経過後も呼び出し状態が継続している場合、発番号と着信時刻とを上記着信履歴メモリへ保存することを特徴とする。
上記通信装置は、さらに、発信、及び着信時に、通信相手を特定する電話番号を登録する電話帳メモリを備え、
上記着信履歴制御部は、上記発番号が上記電話帳メモリに登録されているかを判定し、上記発番号が上記電話帳メモリに登録されている場合で、かつ、着信してから所定の時間経過後も呼び出し状態が継続している場合、上記発番号と着信時刻とを上記着信履歴メモリへ保存することを特徴とする。
上記通信装置は、さらに、
発信、及び着信時に、通信相手を特定する電話番号を登録する電話帳メモリと、
上記着信履歴メモリに保存した着信履歴を取得し、取得した着信履歴を表示し、取得した着信履歴に含まれる発番号が上記電話帳メモリに登録されている場合は、上記発番号を表示し、上記発信番号が上記電話帳メモリに登録されていない場合は、上記発番号を表示しない表示部と
を備えることを特徴とする。
上記表示部は、表示した着信履歴のうち、上記発番号を表示しない着信履歴に関して、上記発番号を参照する指示を受け付け、受け付けた指示に基づいて、上記発番号を含めた着信履歴を表示し、
上記着信履歴制御部は、上記表示部が上記発番号を表示しない着信履歴であって、上記発番号を参照する指示を受け付けなかった着信履歴を抽出し、抽出した着信履歴を上記着信履歴メモリから削除することを特徴とする。
上記着信履歴制御部は、さらに、上記着信履歴メモリに保存した着信履歴を取得し、取得した着信履歴を表示する表示部を備え、
上記着信履歴制御部は、上記表示部が表示した着信履歴を調査し、上記設定情報に基づいて、調査した着信履歴を上記着信履歴メモリから削除することを特徴とする。
この発明に係る着信履歴削除方法は、受信した呼の着信履歴を着信履歴メモリへ保存する機能を有する通信装置が、保存した着信履歴を上記着信履歴メモリから削除する着信履歴削除方法について、
着信履歴に関する制御を設定する設定情報を設定情報メモリへ記録し、
上記設定情報メモリに記録された設定情報に基づいて、着信履歴を保存するか否かを判断し、
判断した結果に基づいて、上記着信履歴を上記着信履歴メモリから削除することを特徴とする。
上記設定情報を設定情報メモリへ記録する工程は、少なくとも、着信履歴を削除するか残すかを示す削除設定と、着信履歴として発信元を特定する発番号を上記着信履歴メモリに保存するか否かを示す発番号設定とを、設定情報として記録し、
上記着信履歴を上記着信履歴メモリへ保存する工程は、上記削除設定に着信履歴を削除すると設定されている場合、着信履歴を削除し、上記削除設定に着信履歴を残すと設定されている場合、上記呼から発番号を取得し、上記発番号設定に発番号を残すと設定されている場合は、発番号と着信時刻とを上記着信履歴メモリに保存し、上記発番号設定に発番号を上記着信履歴メモリに保存しないと設定されている場合及び発番号が取得できない場合は、着信時刻を上記着信履歴メモリに保存することを特徴とする。
この発明に係る通信装置は、受信した呼の電話番号を含む着信履歴を保存する着信履歴メモリ、
上記着信履歴メモリに保存された着信履歴を表示する表示部、
上記受信した呼の呼び出し時間が所定の設定時間未満の場合、上記受信した呼の電話番号を着信履歴として上記表示部に表示するか否かを制御設定する設定情報メモリ、
及び上記設定情報メモリに保存された制御設定に基づいて、上記表示部の表示制御をする着信履歴制御部を備えたことを特徴とする。
この発明に係る通信装置は、通信相手を特定する電話番号を登録する電話帳メモリを備え、
設定情報メモリは、受信した呼の電話番号が上記電話帳メモリに保存されているときには、着信履歴として表示部に表示するようにしたことを特徴とする。
この発明に係る通信装置は、表示部の表示機能を起動させる操作部を備え、
上記操作部の操作によって、受信した呼の着信履歴のうち表示部に電話番号を表示しない着信履歴が指定されたとき、上記電話番号を上記表示部に表示することを可能にしたことを特徴とする。
この発明に係る通信装置は、受信した呼の着信履歴を保存する着信履歴メモリ、
受信した呼の呼び出し時間が所定の設定時間未満の場合、受信した呼の電話番号を上記着信履歴メモリに保存するかしないかを制御設定する設定情報メモリ、
及び上記設定情報メモリに保存された制御設定に基づいて、上記受信した呼の着信履歴を上記着信履歴メモリに保存する着信履歴制御部を備えたことを特徴とする。
発明を実施するための最良の形態
実施の形態１．
図１は、この発明に関する携帯電話機の構成ブロック図である。ここでは、携帯電話機を例に説明する。
図において、１は無線信号の送受信を行うためのアンテナ、２は受信及び、送信に伴う変復調及びデータ変換を行う無線部、３は携帯電話機の各部の制御を行ったり、通信相手とのメッセージの送受信・解析等を行う制御部である。４は各部の制御を行うための各種プログラムが格納されているＲＯＭ（Ｒｅａｄ  Ｏｎｌｙ  Ｍｅｍｏｒｙ）であり、５は携帯電話機の、発信履歴、着信履歴等を記憶するためのメモリ（着信履歴メモリ）である。６はユーザが携帯電話機の各種機能を起動するための操作部、７は氏名、電話番号、住所、ｅ−ｍａｉｌアドレス等の電話帳データを記憶するための電話帳メモリ（電話帳）であり、８は操作部６の操作等により、起動された機能等の情報や、状態等を表示するための表示部であり、９は音声等を出力するためのスピーカ、１０は音声を入力するためのマイクである。１１は、制御部３の一部であり、本アイデアの中心となる制御を行う着信履歴制御設定部／着信履歴制御部である。５の携帯電話機の、発信履歴、着信履歴等を記憶するためのメモリに関しては、７の電話帳メモリと同じメモリであってもかまわない。
着信履歴制御設定部／着信履歴制御部１１は、着信履歴の保存／表示等に関する制御情報の設定を行なう着信履歴制御設定部と、設定された設定情報（制御情報）に基づいて、受信した呼に基づいて発生する着信履歴を保存／削除する等の処理を実施する着信履歴制御部との二つの機能に分けられる。設定情報（制御情報）は、携帯電話機内のメモリ（例えば、制御部３内のメモリ、あるいは、発信／着信履歴用メモリ）に保存される。設定情報（制御情報）を記録するメモリ（記録領域）を設定情報メモリ、あるいは、制御情報メモリともいう。
図１では、着信履歴制御設定部と着信履歴制御部との二つの機能を併せて一つの構成要素として表示しているが、別々の構成要素として配置してもよい。
次に、動作について説明する。
なお、「×××を残す」とは、「×××を保存する」と同じ意味であり、×××をメモリに保存（記録）することを言う。
図２は、携帯電話機に着信があった場合の処理フローを示している。
図２に記載した各処理は、着信履歴制御設定部／着信履歴制御部１１が実施する。携帯電話機の設定として着信履歴に履歴を「残す／残さない」のどちらが設定されているか判定する（ＳＴ１）。「残さない」が設定されていた場合（ＳＴ１でＮＯ）、そのまま、着信履歴には、何も残さず、着信履歴に関する処理を終了する。「残す」が設定されていた場合（ＳＴ１でＹＥＳ）は、着信に「発番号表示」があるかどうかを確認する（ＳＴ２）。「発番号表示がある」とは、発信元の番号（電話番号）が通知されている場合を言う。
「発番号表示」がない場合（ＳＴ２でＮＯ）は、着信履歴に「着信有り」、「着信時刻」を登録し（ＳＴ３）、着信履歴に関する処理を終了する。「発番号表示」がある場合（ＳＴ２でＹＥＳ）は、「発番号」と同一の番号が「電話帳」に登録されているかの「電話帳検索」を行う（ＳＴ４）。「電話帳検索」の結果、一致する番号がない場合（ＳＴ５でＮＯ）は、着信履歴に「発番号」にある「電話番号」と「着信時刻」を登録し、着信履歴に関する処理を終了する（ＳＴ７）。一致する番号がある場合（ＳＴ５でＹＥＳ）、着信履歴に「電話帳に登録されている相手名」、「電話番号」、「着信時刻」を登録し、着信履歴に関する処理を終了する（ＳＴ６）。
次に、図３から図６を用いて、図２の処理に別の処理を追加した動作の一例を説明する。図３から図６において、図２と同じステップ番号の処理は、図２で説明した処理と同様である。
また、図３から図６に記載した処理は、着信履歴制御設定部／着信履歴制御部１１が実施する。
図３は、図２の処理フローに加えて、ＳＴ１からＳＴ２の処理に遷移する間に、ＳＴ８の処理を追加した処理フロー図である。
ＳＴ８は、携帯電話機への別の設定として、「発番号」を残す設定になっているかの確認の処理を追加している。「発番号」を残す設定になっているかを確認し（ＳＴ８）、「発番号」を残さないに設定されている場合（ＳＴ８でＮＯ）、「着信有り」、「着信時刻」のみを着信履歴に設定し処理を終了する（ＳＴ３）。「発番号」を残すに設定されている場合（ＳＴ８でＹＥＳ）は、図２のＳＴ２以降の処理と同様である。
図４は、図３の処理フローに加えてＳＴ４の「電話帳検索処理」の後に、ＳＴ９の処理を追加した処理フロー図である。
ＳＴ９は、携帯電話機への別の着信履歴の設定として、発番号が電話帳メモリに登録されているか、又は、発番号を残す設定になっているかを確認する処理を追加している。「電話帳」に登録されていない「発番号」は、着信履歴に「電話番号」を残す設定がされているかを確認する（ＳＴ９）。「電話帳」に登録されていない「発番号」は、着信履歴に「電話番号」を残さない設定の場合（ＳＴ９でＮＯ）、着信履歴に「着信有り」、「着信時刻」のみを設定して処理を終了する（ＳＴ３）。「電話帳」に登録されている発番号、又は、「電話帳」に登録されていない「発番号」であって、着信履歴に残す設定になっている場合（ＳＴ９でＹＥＳ）の処理は、図３の「電話帳検索処理」（ＳＴ４）の後の処理ＳＴ５以降と同様である。ＳＴ９でＮＯの場合の処理として「着信有り」、「着信時刻」を着信履歴に残したが（ＳＴ３）、携帯電話機の設定としては、着信履歴を残さないことも可能である。
ＳＴ９の処理では、ＳＴ４において、電話帳検索処理（ＳＴ４）を実施し、発番号が電話帳に登録されているか否かが判定される。
電話帳に登録されている発番号の場合、ＳＴ９ではＹＥＳとなる。
電話帳に登録されてない発番号の場合、上記で説明したように、ＳＴ９で発番号を残すか否かを設定（設定情報）に基づいて判断する。
図５は、図４の処理フローに加えて、ＳＴ５からＳＴ７の処理に遷移する間に、ＳＴ１０の処理を追加した処理フロー図である。
携帯機電話機への別の設定として、呼び出す時間が設定時間より短い間、「呼び出し中」の状態で携帯電話機の所有者が着信に出なかった場合の処理が設定されている（ＳＴ１０）。この設定として、設定時間より短かった際、着信履歴に「電話番号」を残さない設定がされている場合（ＳＴ１０でＹＥＳ）は、着信履歴に「着信有り」、「着信時刻」のみを設定して処理を終了する。設定時間以上、「呼び出し中」の状態で携帯電話機の所有者が着信に出なかった場合（ＳＴ１０でＮＯ）の処理は、図４のＳＴ７の処理となる。
なお、「呼び出し中」の状態は、通信網からの「呼設定要求メッセージ」受信から、通信網からの「切断メッセージ」受信までの時間を測定し、携帯電話機に予め設定されている「設定時間」と比較する。ＳＴ３の処理として、「着信有り」、「着信時刻」を着信履歴に残したが、携帯電話機の設定としては、着信履歴を残さないことも可能である。
図６は、図４の処理フローに加えて、ＳＴ９とＳＴ５の処理に遷移する間に、ＳＴ１１の処理を追加した処理フロー図である。
携帯機電話機への別の設定として、呼び出し時間が設定時間より短い間、「呼び出し中」の状態で携帯電話機の所有者が着信に出なかった場合に着信履歴に「発番号」を残さない設定がされているかを確認する処理（ＳＴ１１）が追加されている。呼び出し時間が設定時間より短い間、「呼び出し中」の状態で携帯電話機の所有者が着信に出なかった場合に着信履歴に「発番号」を残さない設定がされている場合（ＳＴ１１でＹＥＳ）、着信履歴に「着信有り」、「着信時刻」のみを設定して処理を終了する。呼び出し時間が設定時間より長い間、「呼び出し中」の状態で携帯電話機の所有者が着信に出なかった場合、又は、着信履歴に「発番号」を残す設定がされている場合（ＳＴ１１でＮＯ）、ＳＴ５の処理へ進む。設定時間以上、「呼び出し中」の状態で携帯電話機の所有者が着信に出なかった場合（ＳＴ１１でＮＯ）の処理は、図４のＳＴ５以降の処理と同様である。ＳＴ１１でＹＥＳの場合の処理として、「着信有り」、「着信時刻」を着信履歴に残したが（ＳＴ３）、携帯電話機の設定としては、着信履歴を残さないようにすることも可能である。
図７は、図２から図６に示した各処理を実現するために携帯電話機の設定を行う際の画面遷移の一例を表した図である。
携帯電話機の設定は、図１の操作部６、及び、表示部８にて、各設定を行う。
操作部６及び表示部８を介して利用者から入力された設定情報（制御情報）は、着信履歴制御設定部／着信履歴制御部１１の着信履歴制御設定部が担当する機能によって、携帯電話機内のメモリに保存される。保存された設定情報（制御情報）は、着信履歴制御設定部／着信履歴制御部１１の着信履歴制御部が担当する機能によって、着信履歴を保存／削除する場合に用いられる。
図７で設定する設定情報（制御情報）と図２〜図６で説明した動作との対応は、次のようになる。
（１）図７の「着信履歴の設定」は、ＳＴ１の処理で用いる。
「１．着信履歴を残す」を選択した場合：ＳＴ１でＹＥＳ
「２．着信履歴を残さない」を選択した場合：ＳＴ１でＮＯ
（２）図７の「発番号処理１」は、ＳＴ８の処理で用いる。
「１．履歴に発番号は残さない」：ＳＴ８でＮＯ
「２．履歴に発番号を残す」：ＳＴ８でＹＥＳ
「３．発番号をかくす」：ＳＴ８→ＳＴ５→ＳＴ７の処理の実施に該当する。
（３）図７の「発番号処理２」は、ＳＴ９の処理で用いる。
「１．発番号は全て残す」：ＳＴ９でＹＥＳ（無条件にＹＥＳ）
「２．電話帳に残されているものだけを残す」：ＳＴ９で上記１に該当しなければＮＯ
（４）図７の「未応答時の処理：呼出中が設定時間未満は残さない」、及び、「呼出中が何秒未満なら履歴に残しませんか」は、図５のＳＴ１０及び図６のＳＴ１１で用いる。
「ＹＥＳ」：図５のＳＴ１０ではＹＥＳ、図６のＳＴ１１ではＹＥＳ
「ＮＯ」：図５のＳＴ１０ではＮＯ、図６のＳＴ１１ではＮＯ
まず、携帯電話機のメニュー画面を表示し、メニューの「７．着信履歴の設定」を選択する（ＳＴ２１）。次に表示される「着信履歴の設定」画面で、「２．着信履歴を残さない」が選択された場合（ＳＴ２２）、通常の待受け画面に遷移する。「着信履歴の設定」画面で、「１．着信履歴を残す」が選択された場合（ＳＴ２３）は、次の「発番号処理１」の画面が表示される。「発番号処理１」にて、「１．履歴に発番号は残さない」が選択された場合（ＳＴ２４）、通常の待受け画面に遷移する。「発番号処理１」にて、「２．履歴に発番号は残す」、あるいは、「３．発番号をかくす」が選択された場合（ＳＴ２５）、次の「発番号処理２」の画面が表示される。「発番号処理２」にて、「１．発番号は全て残す」、あるいは、「２．電話帳に登録されているものだけを残す」のどちらかを選択すると（ＳＴ２６）、「未応答時の処理」画面を表示する。「未応答時の処理」にて「呼び出し中が、設定時間未満だったものは残しません」と言う表示に対して、「２．ＮＯ」が選択された場合（ＳＴ２７）は、通常の待受け画面に戻る。「１．ＹＥＳ」が選択された場合（ＳＴ２８）は、次の「呼び出し中が何秒未満なら履歴に残しませんか」と言う画面を表示させる。そして、時間が入力されると（ＳＴ２９）、通常の待受け画面に遷移する。
また、図７の「発番号処理１」にて、「３．発番号をかくす」が選択された場合（ＳＴ２５）、図３〜図６の「発番号を残す」（ＳＴ８）の選択処理は、無条件に「ＹＥＳ」に進む。
次に、図３、図４、図６の「電話帳に有り」（ＳＴ５）では、「ＮＯ」へ進む。次に、「電話番号・着信時刻を残す」（ＳＴ７）の処理において、発番号も併せて残す（記録する）。発番号を残す場合、着信履歴を表示させる場合に、「発番号」を直接表示させるのではなく、図８に示したように「発番号あり」を表示させるよう併せて、設定を行う。表示部８が着信履歴を表示する場合に、発番号に関しては、「発番号あり」と表示するように、着信履歴に情報を残す。
また、図５の処理フロー場合は、「電話帳に有り」（ＳＴ５）では、「ＮＯ」へ進み、「設定時間以上呼出中のまま」（ＳＴ１２）の判断では、「ＹＥＳ」へ、進み、同様に、「電話番号・着信時刻を残す」の処理において、着信履歴を表示させる時に、「発番号」を直接表示させるのではなく、図８のように「発番号あり」を表示させるよう併せて、設定を行う。
着信履歴を表示させた際に、図８のように、「発番号あり」が表示されている履歴に関して、ユーザが上記「発番号あり」を選択した場合に、実際の「発番号」を表示させる（ＳＴ３１）。
また、携帯電話機の所有者の操作により図８に示すような着信履歴が表示され、ユーザがカーソルを移動させ、上から順に着信履歴の内容を確認した場合に、１つ目の「発番号無し」の着信履歴と、２つ目にある「着信有り」、「着信時刻」、「発番号有り」の着信履歴に関して発番号を表示させてない状態でも、着信履歴の画面を終了させた際に、着信履歴から１つ目、２つ目の着信履歴を自動的に削除し、次に着信履歴の画面を表示させた場合には、着信履歴は図９のように表示される。
すなわち、図９の例では、一度、着信履歴の画面を表示させた場合には、発番号を保存しない設定である着信履歴は自動的に削除される。削除する処理は、着信履歴制御設定部／着信履歴制御部１１が実施する。着信履歴制御設定部／着信履歴制御部１１は、表示部８から着信履歴が表示された通知を受け取り、受け取った通知に基づいて、着信履歴の削除を行なう。
以上のように、この実施の形態では、電話帳機能、及び、着信履歴の機能を有する携帯電話機、及び、通信機器において、携帯電話機、及び、通信機器の設定として、いかなる着信についても、着信履歴に履歴を残す・残さないと言う設定を可能とする携帯電話機、及び、通信機器について説明した。
さらに、着信履歴を残すに設定された場合に、さらに「着信有り」と「着信時間」のみを表示すると言う設定を可能とする携帯電話機、及び、通信機器について説明した。
さらに、着信履歴を残すに設定された場合、発番号が通知された着信に対して、電話帳に登録されている番号と同じ着信に関してのみ、着信履歴に発番号、着信時間、及び、電話帳にて対応づけられている情報を表示し、電話帳に登録されていない発番号に関しては、発番号非通知と同様の扱いとして、「着信有り」と「着信時間」のみを表示する、あるいは、着信履歴に残さないと言う設定を可能とする携帯電話機、及び、通信機器について説明した。
さらに、着信履歴を残すに設定された場合、発番号が通知された着信に対して、電話帳に登録されている番号と同じ着信に関してのみ、着信履歴に発番号、着信時間、及び、電話帳にて対応づけられている情報を表示し、電話帳に登録されていない発番号に関しては、着信から発側があきらめて終話するまでの時間が一定時間以上の場合は、発番号が通知されてきた着信に関しては発番号を表示するようにし、一定時間以下の場合は、発番号が通知されてきていても発番号非通知と同様の扱いとして、「着信有り」と「着信時間」のみを表示する、あるいは、着信履歴に残さないと言う設定を可能とする携帯電話機、及び、通信機器について説明した。
さらに、着信履歴を残すに設定された場合、発番号が通知された着信に対して、電話帳に登録されている番号と同じ着信に関しても、着信から発側があきらめて終話するまでの時間が一定時間以上の場合は、発番号が通知されてきた着信に関しては発番号を表示するようにし、一定時間以下の場合は、発番号が通知されてきていても発番号非通知と同様の扱いとして、「着信有り」と「着信時間」のみを表示する、あるいは、着信履歴に残さないと言う設定を可能とする携帯電話機、及び、通信機器について説明した。
さらに、着信履歴を残すに設定された場合、発番号が通知された着信に対して、電話帳に登録されている番号と同じ着信に関してのみ、着信履歴に発番号、着信時間、及び、電話帳にて対応づけられている情報を表示し、電話帳に登録されていない発番号に関しては、「着信有り」と「着信時間」、「発番号有り」を表示し、ユーザ操作により、発番号表示操作が行われた時に初めて、発番号を表示すると言う設定を可能とする携帯電話機、及び、通信機器について説明した。
さらに、着信履歴を残すに設定された場合、発番号が通知された着信に対して、電話帳に登録されている番号と同じ着信に関してのみ、着信履歴に発番号、着信時間、及び、電話帳にて対応づけられている情報を表示し、電話帳に登録されていない発番号に関しては、「着信有り」と「着信時間」、「発番号有り」を表示し、ユーザ操作により、発番号表示しないと言う操作が行われた時にその着信情報を着信履歴から自動的に削除すると言う設定を可能とする携帯電話機、及び、通信機器について説明した。
さらに、携帯電話機、及び、通信機器に関して、発番号が通知されているが、履歴には、発番号を表示していない、あるいは、もともと発番号が通知されてきていない着信に関しては、ユーザが、その着信履歴を確認した時点で、その着信情報を着信履歴から自動的に削除すると言う設定を可能とする携帯電話機、及び、通信機器について説明した。
実施の形態２．
上記実施の形態では、着信時、及び、着信履歴表示時に予め設定された情報に基づいて、着信履歴を削除する場合について説明した。
予め設定された情報は、一例として、図７の設定画面で設定された情報であり、図７に表示した情報以外を用いることはかまわない。例えば、１日の特定の時間になると、全て削除される、或いは、着信履歴に残してから何日経ったものは、全て削除するという設定情報を用いてもよい。
予め設定された情報は、一例として、図７の設定画面で設定された情報であり、図７に表示した情報以外を用いることはかまわない。
実施の形態３．
上記実施の形態１，２では、通信装置（通信端末）の一例として、携帯電話機を用いて説明したが、これに限られることはない。着信履歴を保存する機能を有する通信装置（通信端末）であれば、携帯電話機以外の機器でもかまわない。
産業上の利用可能性
この発明に係る通信装置（携帯電話機又は通信機器）及び通信方法は、着信履歴に関する制御を定める設定情報の設定をユーザが携帯電話機、及び、通信機器に行うことにより、着信時の着信履歴に対する処理を実施することが可能となる。このような設定、処理により、携帯電話機、及び、通信機器のユーザの必要性に応じた着信履歴の作成が可能となる。
また、上記設定情報の設定により、携帯電話機、及び、通信機器のユーザが、着信履歴に表示された番号に、不用意に発信してしまい、通信費を負担させられることを防止、抑制することが可能となり、悪質な着信に対する対策が可能となる。
また、発番号が表示されない着信、及び、携帯電話機、及び、通信機器のユーザの意思により、発番号を着信履歴に表示させない、あるいは、ユーザ操作により表示する設定がされていて、その設定に従い、発番号を表示しない着信履歴に関しては、残しておいても利用価値がないので、ユーザが着信があったことを確認した時点で削除することにより、発番号が表示され、着信履歴よりリダイヤル可能な利用価値があるものだけを残すことにより、着信履歴用に確保されている有限のメモリを有効に利用することが可能となる。
また、この発明に係る通信装置（携帯端末、又は、通信機器）及び通信方法によれば、着信履歴を削除することが可能になる。従って、着信履歴に基づく、必要のない返信の実施を防止することができる。
また、設定情報（制御情報）に基づいて、着信履歴を制御することができる。設定情報（制御情報）を容易に変更できる画面を提供することによって、利用者が柔軟に着信履歴の保存状況を変更することが可能になる。
また、電話帳に登録されている電話番号に基づいて、着信履歴を保存することにより、必要のない着信履歴を自動的に削除することができる。
また、予め呼び出し状態の継続時間を設定し、着信してから所定の時間、呼び出し状態が続くか否かを用いて着信履歴を制御することができる。
着信履歴を表示する場合に、発番号を表示しない表示を設定し、利用者が発番号を参照しなかった場合に自動的に着信履歴を削除することによって、必要の内着信履歴を削除する手間を省くとともに、必要のない返信の実施を防止することができる。
さらに、着信履歴を表示する場合に、電話帳に登録されている電話番号に基づいて、発番号を表示するか否かを判断することによって、利用者が必要とする可能性の高い着信履歴を区別して表示することができ、さらに、利用者が発番号を参照しない場合に着信履歴を自動的に削除することによって、着信履歴を手間を省くとともに、必要のない返信の実施を防止することができる。
【図面の簡単な説明】
図１は、この発明の実施の形態１の携帯電話機の構成ブロック図。
図２は、この発明の実施の形態１の携帯電話機の着信履歴処理に関するフロー処理。
図３は、この発明の実施の形態１の携帯電話機の着信履歴処理に関するフロー処理。
図４は、この発明の実施の形態１の携帯電話機の着信履歴処理に関するフロー処理。
図５は、この発明の実施の形態１の携帯電話機の着信履歴処理に関するフロー処理。
図６は、この発明の実施の形態１の携帯電話機の着信履歴処理に関するフロー処理。
図７は、この発明の実施の形態１の携帯電話機の着信履歴制御設定を行う際の表示画面の遷移図。
図８は、この発明の実施の形態１の携帯電話機の着信履歴表示画面。
図９は、この発明の実施の形態１の携帯電話機の着信履歴表示画面。
図１０は、先行技術特開２０００−２９５３２４の発明に基づく、従来の携帯電話機の構成の一例を示すブロック図。
【図１】
2003081881.tif 000003
【図２】
2003081881.tif 000004
【図３】
2003081881.tif 000005
【図４】
2003081881.tif 000006
【図５】
2003081881.tif 000007
【図６】
2003081881.tif 000008
【図７】
2003081881.tif 000009
【図８】
2003081881.tif 000010
【図９】
2003081881.tif 000011
【図１０】
2003081881.tif 000012
【国際調査報告】
2003081881.tif 000013
2003081881.tif 000014